(57)【要約】      （修正有）【課題】操作が便利で、人体の骨盤、脊椎などの部位の形態を調整する目的を迅速に達成し、治療過程が短く、治療効果が高く、副作用がなく、しかも治療費が低廉な固本エネルギーマシーンを提供する。【解決手段】マッサージヘッド４２及びその駆動装置により構成する脊椎マッサージ機構４を備え、固本エネルギーマシーンは、脊椎マッサージ機構４下方に設置する床台２とベース１を備え、床台２は水平移動装置３により、ベース１と固定して連接され、水平方向において、ベース１に相対し自由に運動が可能で、脊椎マッサージ機構４は床台２の高さに相対し、高度調整機構５により調節され、水平移動装置３、脊椎マッサージ機構４、高度調整機構５の運行状態は、中央制御ユニットにより制御され、構造が簡単で、操作の利便性が高く、人体の骨盤、脊椎などの部位の形態を調整する目的を迅速に達成する。【選択図】図１
0003161198.tif 000002
【実用新案登録請求の範囲】
【請求項１】
固本エネルギーマシーンは、マッサージヘッド及びその駆動装置により構成する脊椎マッサージ機構を備え、
固本エネルギーマシーンは、前記脊椎マッサージ機構下方に設置する床台とベースを備え、
前記床台は、水平移動装置により、前記ベースと固定して連接され、水平方向において、前記ベースに相対し自由に運動が可能で、
前記脊椎マッサージ機構は、前記床台の高さに相対し、高度調整機構により調節され、
前記水平移動装置、前記脊椎マッサージ機構、前記高度調整機構の運行状態は、中央制御ユニットにより制御されることを特徴とする固本エネルギーマシーン。
【請求項２】
前記水平移動装置は、十文字を呈して交差し分布する横方向移動機構と縦方向移動機構を備え、
前記横方向移動機構は、サポート台上に固定して設置する横方向スライドレール、及び横方向伸縮駆動機構を備え、
前記横方向伸縮駆動機構の伸縮端は、前記床台と固定して連接し、しかも前記床台を駆動し、前記横方向スライドレールに沿って運動させ、
前記縦方向移動機構は、前記ベース上に固定して設置する縦方向スライドレール、及び縦方向伸縮駆動機構を備え、
前記縦方向伸縮駆動機構の伸縮端は、前記サポート台下部と固定して連接し、しかも前記サポート台を駆動し、前記縦方向スライドレールに沿って運動させることを特徴とする請求項１に記載の固本エネルギーマシーン。
【請求項３】
前記横方向スライドレールは、前記サポート台上に平行に分布する２本以上の横方向剛性軸で、
前記床台下端面は、２個以上の直線ベアリングにより、前記横方向剛性軸と連接し、
前記縦方向スライドレールは、前記ベース上端に平行に固定する２本以上の縦方向剛性軸で、
前記サポート台下端面は、２個以上の直線ベアリングにより、前記縦方向剛性軸と連接することを特徴とする請求項２に記載の固本エネルギーマシーン。
【請求項４】
前記横方向伸縮駆動機構、及び前記縦方向伸縮駆動機構は、液圧伸縮駆動装置及び/或いは気動伸縮駆動装置を採用することを特徴とする請求項２或いは３に記載の固本エネルギーマシーン。
【請求項５】
前記脊椎マッサージ機構と前記高度調整機構は共に、ハウジング中に設置し、
前記ハウジングは、機構承台上部と連接し、前記機構承台下部は、前記ベースと固定して連接することを特徴とする請求項１に記載の固本エネルギーマシーン。
【請求項６】
前記脊椎マッサージ機構は、脊椎受力制御機構に設置し、それにより駆動されるマッサージヘッドを備え、
前記高度調整機構は、脊椎上下移動押圧機構、サポートフレーム、操作高度制御機構を備え、
前記脊椎受力制御機構は、固定フレームにより、前記脊椎上下移動押圧機構の下部と固定して連接し、前記脊椎上下移動押圧機構の駆動により、前記サポートフレーム外側に固定する縦方向スライドレールに沿って運動し、
前記操作高度制御機構一端は、前記サポートフレームと固定して連接し、反対端は、前記機構承台と固定して連接し、しかも前記機構承台は、前記サポートフレーム内側に設置する縦方向スライドレールと連接し、前記操作高度制御機構の駆動により、前記サポートフレームは、前記機構承台に相対して運動し、
前記脊椎受力制御機構、前記脊椎上下移動押圧機構、前記操作高度制御機構はすべて、伸縮駆動機構であることを特徴とする請求項５に記載の固本エネルギーマシーン。
【請求項７】
前記サポートフレーム上の縦方向スライドレールはすべて、縦方向剛性軸を採用し、
前記固定フレームと前記機構承台とは、それぞれ前記直線ベアリングにより、前記サポートフレーム外側と内側に設置する縦方向剛性軸と連接することを特徴とする請求項６に記載の固本エネルギーマシーン。
【請求項８】
前記脊椎受力制御機構は、気動伸縮駆動機構を採用し、気圧シリンダー、及びそれと対応する気動伸縮駆動棒を備え、
前記マッサージヘッドと前記伸縮駆動棒の下端とは、固定して連接し、しかも前記気動伸縮駆動棒上には、バネをかぶせ、前記バネがゆるんだ状態である時、その両端は、前記気圧シリンダーと前記マッサージヘッドとにそれぞれ接触し、
前記脊椎上下移動押圧機構と前記操作高度調整機構は共に、液圧伸縮駆動機構を採用し、油圧シリンダー、及びそれと対応する液圧伸縮駆動棒を備えることを特徴とする請求項６に記載の固本エネルギーマシーン。
【請求項９】
前記マッサージヘッド上には、磁性部品を設置することを特徴とする請求項１或いは６或いは７或いは８に記載の固本エネルギーマシーン。
【請求項１０】
前記中央制御ユニットは、制御パネルを備え、
前記制御パネル上には、前記水平移動装置、前記脊椎マッサージ機構、前記高度調整機構の運行状態をそれぞれ調整するボタンを設置し、
前記ボタンはすべて、データ処理ユニットと連接することを特徴とする請求項１に記載の固本エネルギーマシーン。
【考案の詳細な説明】
【技術分野】
【０００１】
本考案は固本エネルギーマシーンに関し、特に人体の骨格状態を矯正する医療器械で、人体の骨盤部位の状態を調整することで、人体の健康状態改善の目的を達成することができる固本エネルギーマシーンに関する。
【背景技術】
【０００２】
現代社会では、異常な生活状態と仕事の多忙さのため、多くの人が、両肩、脊椎、腰部など部位に変形を来たし、非常に多くの経路が硬化している。この状態はさらに、骨盤の移動を招き、これが脊椎など部位のさらなる変形及び内蔵の損傷を引き起こす。周知のように、骨盤腔は、人類の生命の源である。そのため、健康な状態を回復したいなら、先ず、骨盤腔に本体備わっている機能を回復させることが必要で、そうして初めて人体の免疫能力を増強し、身体の中の毒素と病を排除し、人体の自然治癒力を高めることができる。
【０００３】
現在臨床上行われている上記した症状に対する治療には、手術と非手術治療の２種の方法がある。手術は主に、症状が比較的重い場合に選択され、しかも非手術治療では効果がなく、身体状況が手術に耐えうる病人に対して行われる。非手術臨床方法には、牽引術、最小侵襲治療、固定制動術、中国式マッサージ、物理治療、封鎖、薬物治療がある。しかし、上記した方法は、治療過程が長く、或いは副作用が大きく、或いは多くの費用がかかり、しかも治療効果が高いとはいえない。本考案は、従来の骨盤治療の上記した欠点に鑑みてなされたものである。
【考案の概要】
【考案が解決しようとする課題】
【０００４】
本考案が解決しようとする課題は、操作が便利で、人体の骨盤、脊椎などの部位の形態を調整する目的を迅速に達成し、治療過程が短く、治療効果が高く、副作用がなく、しかも治療費が低廉で、従来の技術におけるあらゆる欠点を改善することができる固本エネルギーマシーンを提供することである。
【課題を解決するための手段】
【０００５】
上記課題を解決するため、本考案は下記の固本エネルギーマシーンを提供する。
固本エネルギーマシーンは、マッサージヘッド及びその駆動装置により構成する脊椎マッサージ機構を備え、
固本エネルギーマシーンは、該脊椎マッサージ機構下方に設置する床台とベースを備え、該床台は、水平移動装置により、該ベースと固定して連接され、水平方向において、該ベースに相対し自由に運動が可能で、
該脊椎マッサージ機構は、該床台の高さに相対し、高度調整機構により調節され、
該水平移動装置、該脊椎マッサージ機構、該高度調整機構の運行状態は、中央制御ユニットにより制御され、
該水平移動装置は、十文字を呈して交差し分布する横方向移動機構と縦方向移動機構を備え、
該横方向移動機構は、サポート台上に固定して設置する横方向スライドレール、及び横方向伸縮駆動機構を備え、
該横方向伸縮駆動機構の伸縮端は、該床台と固定して連接し、しかも該床台を駆動し、該横方向スライドレールに沿って運動させ、
該縦方向移動機構は、該ベース上に固定して設置する縦方向スライドレール、及び縦方向伸縮駆動機構を備え、
該縦方向伸縮駆動機構の伸縮端は、該サポート台下部と固定して連接し、しかも該サポート台を駆動し、該縦方向スライドレールに沿って運動させ、
該横方向スライドレールは、該サポート台上に平行に分布する２本以上の横方向剛性軸で、
該床台下端面は、２個以上の直線ベアリングにより、該横方向剛性軸と連接し、
該縦方向スライドレールは、該ベース上端に平行に固定する２本以上の縦方向剛性軸で、該サポート台下端面は、２個以上の直線ベアリングにより、該縦方向剛性軸と連接し、
該横方向伸縮駆動機構、及び該縦方向伸縮駆動機構は、液圧伸縮駆動装置及び/或いは気動伸縮駆動装置を採用し、
該脊椎マッサージ機構と該高度調整機構は共に、ハウジング中に設置し、
該ハウジングは、機構承台上部と連接し、該機構承台下部は、該ベースと固定して連接し、
該脊椎マッサージ機構は、脊椎受力制御機構に設置し、それにより駆動されるマッサージヘッドを備え、
該高度調整機構は、脊椎上下移動押圧機構、サポートフレーム、操作高度制御機構を備え、
該脊椎受力制御機構は、固定フレームにより、該脊椎上下移動押圧機構の下部と固定して連接し、該脊椎上下移動押圧機構の駆動により、該サポートフレーム外側に固定する縦方向スライドレールに沿って運動し、
該操作高度制御機構一端は、該サポートフレームと固定して連接し、反対端は、該機構承台と固定して連接し、しかも該機構承台は、該サポートフレーム内側に設置する縦方向スライドレールと連接し、該操作高度制御機構の駆動により、該サポートフレームは、該機構承台に相対して運動し、
該脊椎受力制御機構、該脊椎上下移動押圧機構、該操作高度制御機構はすべて、伸縮駆動機構で、
該サポートフレーム上の縦方向スライドレールはすべて、縦方向剛性軸を採用し、
該固定フレームと該機構承台とは、それぞれ該直線ベアリングにより、該サポートフレーム外側と内側に設置する縦方向剛性軸と連接し、
該脊椎受力制御機構は、気動伸縮駆動機構を採用し、気圧シリンダー、及びそれと対応する気動伸縮駆動棒を備え、
該マッサージヘッドと該伸縮駆動棒の下端とは、固定して連接し、しかも該気動伸縮駆動棒上には、バネをかぶせ、該バネがゆるんだ状態である時、その両端は、該気圧シリンダーと該マッサージヘッドとにそれぞれ接触し、
該脊椎上下移動押圧機構と該操作高度調整機構は共に、液圧伸縮駆動機構を採用し、油圧シリンダー、及びそれと対応する液圧伸縮駆動棒を備え、
該マッサージヘッド上には、磁性部品を設置し、
該中央制御ユニットは、制御パネルを備え、
該制御パネル上には、該水平移動装置、該脊椎マッサージ機構、該高度調整機構の運行状態をそれぞれ調整するボタンを設置し、
該ボタンはすべて、データ処理ユニットと連接し、
該制御パネル上のボタンは、シングルスイッチ、タイマースイッチ、前、後スイッチ、上、下、左、右移動スイッチなどを備え、
さらに該中央制御ユニット中には、PLCなどのデータ処理ユニットを設置し、これにより該データ処理ユニットは、該水平移動装置、該脊椎マッサージ機構、該高度調整機構の運行状態を自動制御可能となり、
また、安全を確保するため、該脊椎受力制御機構中にはさらに、圧力メーターなどを設置し、該圧力メーターは、気圧シリンダー中の圧力をリアルタイムで表示可能で、これにより操作人員は、該マッサージヘッドの予定圧力を予め設定することができ、
該マッサージヘッドが矯正を受ける患者の身体をマッサージする時には、該マッサージヘッドの圧力をリアルタイムで調整することができ、
固本エネルギーマシーンの作動過程は、以下の通りで、
(1)  操作人員は、操作高度制御機構を起動し、該脊椎マッサージ機構を安全位置まで下降させ、
(2)  操作人員は、矯正を受ける患者の年齢、体型などに基づき、該脊椎受力制御機構が提供する圧力を予め設定し、
(3)  操作人員は、矯正を受ける患者を該床台上に、仰向け或いはうつ伏せに寝かせ、該水平移動装置により該床台の位置を調整し、矯正を受ける患者のマッサージを待つ特定の部位を、該マッサージヘッドの下方に位置させ、
(4)  操作人員は、該制御パネルにより、該脊椎受力制御機構を起動し、これにより該マッサージヘッドは、矯正を受ける患者のマッサージを待つ特定の部位に接触し、さらに実際の状況に応じて、該マッサージヘッドを微調整し、
(5)  操作人員は、ステップ(4)を繰り返し、該マッサージヘッドの圧力が、矯正を受ける患者が受け止められる範囲内であるかどうかをテストし、もし、OKであるなら、次の操作に進み、OKでないなら、(2)〜(4)のステップを繰り返し、該マッサージヘッドの圧力を再び調整し、
(6)  操作人員は、該制御パネルにより、該脊椎上下移動押圧機構を縦方向において、数回から数十回往復運動を行わせ、その過程では、該マッサージヘッドが、矯正を受ける患者の身体の局部を押しており、もし圧力が設定値に達しているなら、該データ処理ユニットは、該圧力スイッチにより、該脊椎上下移動押圧機構を自動的に上昇させ、矯正を受ける患者の身体上のマッサージを待つ部位へのマッサージを完了し、
(7)  矯正を受ける患者の身体位置を新たに調整し、(1)〜(6)のステップに基づき、矯正を受ける患者の他の部位に対してマッサージを行い、こうして治療行程は終了する。
【考案の効果】
【０００６】
本考案固本エネルギーマシーンは、構造が簡単で、操作の利便性が高く、人体の骨盤、脊椎などの部位の形態を調整する目的を迅速に達成し、治療過程が短く、治療効果が高く、副作用がなく、しかも治療費が低廉である。
【図面の簡単な説明】
【０００７】
【図１】本考案実施例の固本エネルギーマシーンの構造を示す縦断面表示図である。
【図２】図１に示す固本エネルギーマシーンの構造を示す横断面表示図である。
【図３】図１に示す固本エネルギーマシーンの俯瞰図である。
【考案を実施するための形態】
【０００８】
以下に図面を参照しながら本考案を実施するための最良の形態について詳細に説明する。
【実施例】
【０００９】
図１〜３に示すように、本考案固本エネルギーマシーンは、脊椎マッサージ機構４、高度調整機構５、床台２、ベース１を備える。床台２は、水平移動装置３により、ベース１と固定して連接される。脊椎マッサージ機構４と高度調整機構５とは共に、ハウジング６中に設置する。ハウジング６は、機構承台７上部と連接する。機構承台７下部は、ベース１と固定して連接する。
【００１０】
水平移動装置３は、十文字を呈して交差し分布する横方向移動機構３１と縦方向移動機構３２を備える。横方向移動機構３１は、サポート台上に平行に固定する２本の横方向剛性軸３１１、及び横方向液圧伸縮駆動機構３１２を備える。横方向液圧伸縮駆動機構３１２は、油圧シリンダー、及びそれと対応する伸縮駆動棒を備える。油圧シリンダーは、サポート台上に固定して設置し、伸縮駆動棒の端部は、床台２下部と固定して連接する。床台２下端面は、２個以上の直線ベアリング３１３により、横方向剛性軸３１１と連接し、横方向液圧伸縮駆動機構３１２の駆動の下、床台２は、横方向剛性軸３１１に沿って、スライド動する。
【００１１】
縦方向移動機構３２は、ベース１上に平行に固定する２本の縦方向剛性軸３２１、及び縦方向液圧伸縮駆動機構３２２を備える。縦方向液圧伸縮駆動機構３２２は、油圧シリンダー、及びそれと対応する伸縮駆動棒を備える。油圧シリンダーは、ベース１上に固定して設置し、伸縮駆動棒の端部は、床サポート台下部と固定して連接し、サポート台下端面は、２個以上の直線ベアリング３２３により、縦方向剛性軸３２１と連接し、縦方向液圧伸縮駆動機構３２２の駆動の下、サポート台は床台２を駆動して、縦方向剛性軸３２１に沿って、一緒にスライド動する。
【００１２】
脊椎マッサージ機構４は、脊椎受力制御機構４１、マッサージヘッド４２を備える。脊椎受力制御機構４１は、気動伸縮駆動機構を採用し、気圧シリンダー、及びそれと対応する伸縮駆動棒を備える。気圧シリンダーは、固定フレーム８により、脊椎上下移動押圧機構５１の下部と固定して連接する。マッサージヘッド４２と伸縮駆動棒の下端とは、固定して連接し、しかも気動伸縮駆動棒上には、バネ４３をかぶせる。バネ４３が緩んだ状態にある時には、その両端は、気圧シリンダー及びマッサージヘッド４２とそれぞれ接触し、これによりマッサージヘッド４２は、より安定した圧力作用を提供することができる。好ましくは、マッサージヘッド４２上には、磁性機構を設置し、或いはマッサージヘッド４２は、磁性材料を採用して製造し、マッサージと同時に、磁力治療効果をも達成することができる。
【００１３】
高度調整機構５は、脊椎上下移動押圧機構５１、サポートフレーム５２、操作高度制御機構５３を備える。脊椎上下移動押圧機構５１と操作高度制御機構５３とは共に、液圧伸縮駆動機構を採用し、主に、油圧シリンダー、及びそれと対応する液圧伸縮駆動棒により組成する。サポートフレームの内側と外側には、２本の縦方向剛性軸５２１、５２２をそれぞれ平行に設置する。固定フレーム８と脊椎上下移動押圧機構５１中の液圧伸縮駆動棒の下端は連接し、しかも同時に２個以上の直線ベアリング３１３により、サポートフレーム５２外側に設置する縦方向剛性軸３２１と連接し、脊椎上下移動押圧機構５１の駆動の下、脊椎受力制御機構４１を連動し、縦方向スライドレールに沿ってスライド動する。
【００１４】
操作高度制御機構５３中において、油圧シリンダーとサポートフレームとは固定して連接し、その液圧伸縮駆動棒下端と機構承台７とは、固定して連接し、しかも機構承台７は、２個以上の直線ベアリング３１３により、サポートフレーム内側に設置する２本の縦方向剛性軸３２１と連接する。操作高度制御機構５３の駆動の下、サポートフレームは、脊椎上下移動押圧機構５１を連動し、機構承台７に相対して縦方向の移動を行わせる。
【００１５】
水平移動装置３、脊椎マッサージ機構４、高度調整機構５の運行状態はすべて、中央制御ユニットにより制御される。中央制御ユニットは、制御パネルを備える。制御パネルは、機構承台７の片側面上に設置し、しかも制御パネル上には、水平移動装置３、脊椎マッサージ機構４、高度調整機構５の運行状態を制御可能なボタンを設置する。ボタンは、具体的には、脊椎上下移動押圧機構５１の一回の下降を制御可能なシングルスイッチ、脊椎上下移動押圧機構５１に、設定した回数往復運行するタイマースイッチに従い、床台２を制御し、前後左右方向へ移動を行わせる上、下スイッチと左、右移動スイッチ、高度調整機構５の上昇或いは下降を制御する上、下スイッチなどである。当然、本考案固本エネルギーマシーンの自動化の程度を考慮し、中央制御ユニット中に、さらにPLCなどのデータ処理ユニットを設置し、或いは外付けのSCM、マイクロマシーンなどの設備を設置し、中央制御ユニットとすることができる。
【００１６】
固本エネルギーマシーンの作動過程は、以下の通りである。
(1)  操作人員は、操作高度制御機構５３を起動し、脊椎マッサージ機構４を安全位置まで下降させる。すなわち、マッサージヘッド４２と床台２上端面との間の距離は、人体と対応し、約２５ｃｍ前後である。
(2)  操作人員は、矯正を受ける患者の年齢、体型などに基づき、連接する圧力メーターが示す圧力が０．５〜５ｋｇ/ｃｍ2範囲中のある数値(所定の圧力)になるまで、気動伸縮駆動装置の気圧を調整する。
(3)  患者は床台２上に伏せる。
(4)  操作人員は、水平移動装置３により床台２の位置を調整し、矯正を受ける患者の脊椎部位を、マッサージヘッド４２の下方に位置させる。
(5)  操作人員は、制御パネル上のシングルスイッチにより、気動伸縮駆動装置を起動し、これによりマッサージヘッド４２は下降し、矯正を受ける患者のある局部位置に接触し、さらに２〜５ｃｍの微調整を下向きに行う。
(6)  操作人員は、シングルスイッチを、５回などの数回繰り返して起動し、マッサージヘッド４２の圧力が、矯正を受ける患者が受け止められる範囲内であるかどうかをテストする。もし、OKであるなら、次の操作に進み、OKでないなら、(2)〜(5)のステップを繰り返し、マッサージヘッド４２の圧力を再び調整する。
(7)  制御パネル上のタイマースイッチを起動し、その数値を、６０回などの適した数値に設定する。これにより、脊椎上下移動押圧機構５１は、縦方向において、往復運動を行い、その下降過程では、マッサージヘッド４２が、矯正を受ける患者のある局部位置に接触しており、しかも圧力が所定の数値に達しているなら、脊椎上下移動押圧機構５１は、下降を停止し、一定の高度に達するまで上昇を開始し、新たに下降過程を開始し、こうして所定の回数(６０回など)になるまで反復する。
(8)  矯正を受ける患者の脊椎の、上記した局部位置において、マッサージが完了したなら、矯正を受ける患者の身体位置を新たに調整し、(1)〜(7)ステップに基づき、矯正を受ける患者の脊椎の他の部位に対してマッサージを行い、こうして治療行程は終了する。
【００１７】
上記の本考案名称と内容は、本考案技術内容の説明に用いたのみで、本考案を限定するものではない。該項技術の習熟者は実際の必要に基づき、高度調整機構５及び脊椎マッサージ機構４と、ベース１及び床台２を、分離式設計とすることができ、高度調整機構５は、オーバーハングアーム式高度調整機構などに置換することができる。本考案が採用する液圧、気動伸縮駆動装置もまた、他のタイプの伸縮駆動機構に置換することができる。すなわち、本考案の精神に基づく等価応用或いは部品（構造）の転換、置換、数量の増減はすべて、本考案の保護範囲に含むものとする。
【産業上の利用可能性】
【００１８】
本考案は実用新案の要件である新規性を備え、従来の同類製品に比べ十分な進歩を有し、実用性が高く、社会のニーズに合致しており、産業上の利用価値は非常に大きい。
【符号の説明】
【００１９】
１  ベース
２  床台
３  水平移動装置
３１  横方向移動機構
３１１  横方向剛性軸
３１２  横方向液圧伸縮駆動機構
３１３  直線ベアリング
３２  縦方向移動機構
３２１  縦方向剛性軸
３２２  縦方向液圧伸縮駆動機構
３２３  直線ベアリング
４  脊椎マッサージ機構
４１  脊椎受力制御機構
４２  マッサージヘッド
４３  バネ
５  高度調整機構
５１  脊椎上下移動押圧機構
５２  サポートフレーム
５２１、５２２  縦方向剛性軸
５３  操作高度制御機構
６  ハウジング
７  機構承台
８  固定フレーム
【図１】
0003161198.tif 000003
【図２】
0003161198.tif 000004
【図３】
0003161198.tif 000005